(57)【要約】      （修正有）【課題】足場が悪い所でも使用できる分割式２本ハシゴを提供する。【解決手段】接地部に突起部が設けられた台座３と、本体内側において、台座から上方へ１０ｃｍ程度の高さの位置と、本体頂部から下方へ１０ｃｍ程度の高さの位置とに設けられた複数の内寄り防止用ストッパーのフック５と、本体内側の中央部に設けられた複数の足掛け用鎖６のフックと、本体頂部に設けられた上部円柱、立木等用ストッパー４のフックをそれぞれ備えた左ハシゴ１及び右ハシゴ２からなる。【選択図】図１
0003181491.tif 000002
【実用新案登録請求の範囲】
【請求項１】
本考案の最大の特徴である足場の悪るい所でも使用出来る図１の類似に依る形態。
【請求項２】
本考案の特徴の一つでもある図８のストッパーを組み込まれた図１２の一例の類似する形態。
【請求項３】
左右ハシゴの長さは、１ｍから１５ｍ位いとする。
【請求項４】
図８のストッパーの長さは、１ｍから１５ｍ位いとする。
【請求項５】
本考案に使用される各単体の材料の材質は、現存するすべての材質とする。
【請求項６】
本考案に使用される各単体の形状は、現存するすべての形状とする。
【請求項７】
足掛け用は、鎖りとは、限らない。
【考案の詳細な説明】
【技術分野】
【０００１】  本考案は、足場の悪るい所でも使える分割式２本ハシゴに関するものである。
【背景技術】
【０００２】  従来から使用されている、ハシゴ類やキャタツ類は、必要な所で充分に技術的に、利用されている。
【先行技術文献】
【特許文献】
【考案の概要】
【考案が解決しようとす課題】
【０００３】  しかし乍ら、足場が悪るくて左右の地面の高低があると、特にハシゴは使用出来ない。キャタツは傾いたりして大変危険である。
【課題を解決するための手段】
【０００４】  そこで本考案は、以上の課題を解決すべく、足場の悪るい所でも使用出来る分割式２本ハシゴを提供するものである。
【０００５】  本考案の形態であるが、たとえば左の足場よりも右の足場が３０ｃｍ低い所で使用する場合、左のハシゴよりも、右のハシゴが下に下がることになる。そこで右のハシゴの下面に取付けてある、足掛け用のたとえば鎖りとして、その鎖りを左のハシゴの下面にあるフックに水平になる様に取り付ける。各上段も順次水平になる様に取付ける。
【０００６】  左右ハシゴの最上部には、左右のハシゴを支える支柱を固定するストッパーの受け口を設ける。
【０００７】  ２本ハシゴに取付けた鎖りに、足を掛けるとハシゴが内側によってくる。それを防止するために、ハシゴの上部内側と、下部内側に内寄り防止用の脱着可能なストッパーを取付ける。
【０００８】  左右ハシゴの上部上面に、円柱や立木等まるいものにも使用出来る様に、伸縮しないで変形する物品で脱着可能式にして取付ける。
【考案の効果】
【０００９】  本考案に係る分割式２本ハシゴは、従来のハシゴやキャタツ等で使用する場所でも充分使用出来るが、特に狭い所や庭木の間の足場の悪るい所では、大変便利である。
【００１０】  分割式であるため、持ち運びが楽くである。
【考案を実施するための形態】
【００１１】  以下考案を実施するための形態について一例として説明する。
【００１２】  図３に依って説明する。左用ハシゴの接地部は、地面をとらえやすい様突起部を下向きに付けた台座を設け、その上にハシゴ用本体を設置する。その本体内側に台座より上方１０ｃｍ位いの所から、内寄り防止用のストッパー用のフックを上方に向って、複数取付ける。又、本体上部内側にも本体頂上から１０ｃｍ位いの所から、下へ向って内寄り防止用ストッパー用フックを複数取付ける。又、本体上部上面には、伸縮しなくて変形出来るストッパーを取付けるフックを複数取付ける。又、頂上部左側にストッパーの先端のブラケット部を、差込む受口として巾に余裕のある受金を設ける。図５である。次に下面について説明する。足掛け用の鎖りを取付けるフックを中央部に複数取付ける。
【００１３】  図４に依って説明する。右用の接地部は、地面をとらえやすい様突起部を下向きに付けた台座を設け、その上にハシゴ用本体を設置する。その本体内側に台座より上方１０ｃｍ位の所から、内寄り防止用のストッパー用のフックを上方に向って複数取付ける。又、本体上部内側にも、本体頂上から１０ｃｍ位いの所から下方に向って内寄り防止用のフックを複数取付ける。又本体上部上面には、伸縮しなくて変形出来るストッパーを取付けるフックを複数取付ける。又、頂上部右側にはストッパーの先端のブラケット部を、差込む受口として巾に余裕のある受金を設ける。図５−２である。次に下面について説明する。足掛け用の鎖りを取付けるフックを中央部に複数取ける。
【００１４】  ストッパーは、ハシゴ本体の上部をもたせかける所がない場合には、支えが必要となる。そこでストッパーを使用する。ストッパーの上部先端には、カギ状のブラケットを設ける。図８である。本体の受金部にそのカギ部を差込んで、本体を安定させるものである。本体の受金の巾の余裕分が、ストッパーの接地部を移動させて、足場の状態に対応出来る。
【００１５】  上部・下部の内寄り防止ストッパーは、左右ハシゴに連結されている鎖りに足を掛けると、本体が内側に寄ってくる。それを防ぐために取付けて、安定を保つためのものである。
【００１６】  足掛け用鎖りは、左右本体の接地部が、高低の段差がある場合に対応するため脱着式とする。又は、左本体か右本体の一方だけ下面にある足掛用鎖りのフックに鎖りを脱着出来な様固定式にしても良い。
【００１７】  上部円柱等用ストッパーは、伸縮しないでやわらかく変形出来るため、円柱等に使用すると円柱にまきつくようになり、左右のハシゴが円柱密着して安定する。図１である。
【図面の簡単な説明】
【００１８】
【図１】図１は、一例として説明する。本考案の円柱等円い物、又は、立木等に使用している図である。上部の立木等にかかっているストッパーは、立木等をつかみやすくするため伸縮しないで、やわらかく変形出来る物品を使用する。左右の足場に高低がある所で使用する場合、左右本体の接地の高さが違ってくる。その違い分だけ、左右本体の下面に取付けてあるフックに一例として鎖り等で水平になる様に連結する。又、一例として取付けた鎖り等に足を掛けると、左右本体が内側に寄ってくる。それを防くため、左右本体の下部の内側に内寄り防止用ストッパーを取付ける。
【図２】図２は、一例として説明する。左右本体の上部をもたせかける所が一直線で水平な所へもたせかけている図である。上・下部の内寄り防止用ストッパーと、足掛け用鎖り等の左右間の巾は同じである。
【図３】図３は、一例として説明する。左用本体の上面図のＡと下面図のＢを表わしたものである。上面には、下部用内寄り防止ストッパーを取付けるフックを複数取付ける。上面上部には、立木等に使用するとき、立木等をつかみやすくするため伸縮しないで、やわらかく変形出来るストッパーを取付けるフックを複数取付ける。又、上部左側には、本考案の左右本体は、上部をもたせかける所がない場合には、支えが必要である。その支えをストッパーと呼ぶ。ストッパーの先端を差込んで固定するための受口を取付ける。図５−１のものである。又、上部内側に内寄り防止ストッパーを取付けるフックを複数取付ける。次に下面Ｂについて説明する。足掛け用一例として鎖り等用のフックを中央部に複数取付ける。
【図４】図４は、一例として説明する。右用本体の上面図のＡと、下面図のＢを表わしたものである。上面には、下部内側に内寄り防止用ストッパーを取付けるフックを複数取付ける。上部上面には、立木等に使用するとき、立木等をつかみやすくするため、伸縮しないでやわらかく変形出来るストッパーを取付けるフックを複数取付ける。又、上部右側には、本考案の左右本体は、上部をもたせかける所がない場合には、支えが必要になる。その支えをストッパーと呼ぶ。そのストッパーの先端を差込んで固定するための受口を取付ける。図５−２である。又上部内側には、内寄り防止用ストッパーを取付けるフックを複数取付ける。次に下面図Ｂの説明をする。足掛け用一例として鎖り等用のフックを中央部に複数取付ける。
【図５】図５は、上から見た左用本体図５−１と右用本体図５−２のストッパーの先端部を受ける受口の一例である。
【図６】図６は、左用ハシゴとストッパーの固定図の一例である。
【図７】図７は、右用ハシゴとストッパーの固定図の一例である。
【図８】図８は、ストッパーの一例である。左右同じものである。
【図９】図９は、上部、下部用ストッパーの一例である。本体の内寄りを防止するため固いものを使用する。
【図１０】図１０は、足掛け用の一例で鎖りの長さを調整出来るサルカン付きの一例である。
【図１１】図１１は、円柱、立木等用のストッパーの一例である。
【付号の説明】
１、左ハシゴ  ２、右ハシゴ  ３、台座  ４、上部、円柱・立木等用ストッパー  ５、内寄り防止用ストッパー  ６、足掛け用鎖り  ７、屋根等  ８、受け金  ９、ブラケット１０、上部の円柱・立木等用ストッパー用フック１１、内寄り防止用ストッパー用フック１２、サルカン等１３、足掛け用鎖りのフック１４、ストッパー    左右ハシゴの支え用として左右同一である。１５、円柱等
【図１】
0003181491.tif 000003
【図２】
0003181491.tif 000004
【図３】
0003181491.tif 000005
【図４】
0003181491.tif 000006
【図５】
0003181491.tif 000007
【図６】
0003181491.tif 000008
【図７】
0003181491.tif 000009
【図８】
0003181491.tif 000010
【図９】
0003181491.tif 000011
【図１０】
0003181491.tif 000012
【図１１】
0003181491.tif 000013
【手続補正書】
【提出日】平成24年7月2日(2012.7.2)
【手続補正１】
【補正対象書類名】実用新案登録請求の範囲
【補正対象項目名】全文
【補正方法】変更
【補正の内容】
【実用新案登録請求の範囲】
【請求項１】
左右２本の台座の上に設けたハシゴに、上下内寄り防止ストッパーを、又上部の円柱、立木等用ストッパーを、又ハシゴの下面に足掛け用鎖り又、鎖り用フックを多数取付けた状態から分割出来る形状を有することを特徴とする分割式２本ハシゴ
【請求項２】
請求項１記載のハシゴは、上部を支える屋根、円柱、立木等が無い場合は、支え用ストッパーを必要とすることを特徴とする請求項１記載の分割式２本ハシゴ
【請求項３】
ハシゴの長さは、１ｍから１５ｍ位いとすることを特徴とする請求項１記載の分割式２本ハシゴ
【請求項４】
ハシゴの支え用ストッパーの長さは、１ｍから１５ｍ位いとすることを特徴とする請求項１記載の分割式２本ハシゴ
【手続補正書】
【提出日】平成24年9月20日(2012.9.20)
【手続補正１】
【補正対象書類名】図面
【補正対象項目名】全図
【補正方法】変更
【補正の内容】
【図１】
0003181491.tif 000014
【図２】
0003181491.tif 000015
【図３】
0003181491.tif 000016
【図４】
0003181491.tif 000017
【図５】
0003181491.tif 000018
【図６】
0003181491.tif 000019
【図７】
0003181491.tif 000020
【図８】
0003181491.tif 000021
【図９】
0003181491.tif 000022
【図１０】
0003181491.tif 000023
【図１１】
0003181491.tif 000024
【手続補正書】
【提出日】平成24年9月20日(2012.9.20)
【手続補正１】
【補正対象書類名】実用新案登録請求の範囲
【補正対象項目名】全文
【補正方法】変更
【補正の内容】
【実用新案登録請求の範囲】
【請求項１】
すべり止め用案起を設けた左右台座の上に左用ハシゴと右用ハシゴをそれぞれ一体構造として作り左右ハシゴを屋根等の対象物にもたせかけた状態で左右ハシゴ間の内側面を左ハシゴの右側もしくは内側と呼び右ハシゴの左側もしくは内側と呼び左ハシゴの右側の反対面を左側もしくは外側と呼び右ハシゴの左側の反対面を右側もしくは外側と呼ぶこととし又左右ハシゴを又左右ハシゴを対象物にもたせかけた状態で手前側の上方に向いている面を上面もしくは上面部  反対側の面で下方に向いている面を下面もしくは下面部と呼ぶこととし足掛け用鎖りに足を掛けると左右ハシゴが内側に寄ってくるのを防ぐため両端に左右ハシゴの上部内側の内寄り防止用フックと連結出来る半円形フックを付けた固形物でできた上部内寄り防止ストッパーをサルカン等で左右ハシゴに連結出来るよう左右ハシゴの内側面の最上部から内側面の下方へ１００ｍ位の所へ一つ目の半円形フックをハシゴの奥行の中心部に上下に向けて取付け、一つ目のフックから内側面の下方へ１５ｃｍの所へ２つ目のフックを２つ目のフックから内側面のさらに下方１５ｃｍの所へ３つ目のフック取付け、足掛け用鎖りに足を掛けると、左右ハシゴが内側に寄ってくるのを防ぐため両端にハシゴの内寄り防止用フックとサルカン等で連結できる半円形のフックを付けた固形物でできた下部内寄り防止ストッパーを左右ハシゴに連結できるように左右ハシゴの内側面最下部から内側面の上方１０ｃｍ位の所へ一つ目のフックを半円形にしてハシゴの奥行の中心部に上下に向けて取付け、一つ目のフックから内側面の上方１５ｃｍの所へ２つ目のフックを、２つ目のフックからさらに内側面の上方１５ｃｍの所へ３つ目のフックを取付け足掛け用鎖りに足を掛けると内側に寄ってくる力を利用して円柱立木等にしっかりまき付きやすいよう収縮しなくて変形できる物品で両端に左右ハシゴの円柱立木等用ストッパーのフックとサルカン等で連結出来る半円形フックを取付け左右ハシゴの上面最上部から上面の下方へ２５ｃｍの所へハシゴの巾の中心部へ上下に向けて円柱立木等用ストッパーと連結する一つ目の半円形フックを取付け、一つ目のフックから１５ｃｍ上面の下方の所へ２つ目のフックを取付け、さらに上面の下方１５ｃｍの所へ３つ目のフックを取付け、上記上下、内寄り防止ストッパーと、円柱立木等用ストッパーと左右ハシゴに取付けてある各フックにサルカン等を用いて連結し足掛け用鎖りフックは左右ハシゴの下面の最下部から下面の上方へ１５ｃｍの所へ半円形のフックをハシゴの下面の巾の中心部に左右に向けて一つ目の半円形フックを取付け、一つ目のフックから下面上方へ３０ｃｍの所へ２つ目のフックを、さらに下面上方へ３０ｃｍの所へ３つ目のフックを、この様にハシゴの長さに応じて３０ｃｍ毎に複数の半円形フックを取付け、一番高い所のフックはハシゴの最上部から３０ｃｍ位の所とし左右ハシゴのどちらでも良いが片方のハシゴだけ３０ｃｍおきに設けたフックとフックの中間に同じ様にフックを取付けて１５ｃｍ間かくとし足掛け用鎖りは、左右ハシゴを円柱立木等に使用する時の左右ハシゴの上部と下部の巾の差や左右ハシゴの高低差に対応しうる様左右ハシゴもしくは片方のハシゴだけ脱着出来る様にして最下部の足���け用鎖りの長さを其にして上段に行くに従って鎖りの長さは左右のハシゴの巾の差分だけ短くなってゆき左右ハシゴの足掛け用鎖りを足掛け用鎖りフックに各段の必要な長さでサルカン等で水平になる様に連結し左右ハシゴの高低差には、足掛け用鎖りフックを１５ｃｍ間かく取付けたハシゴの足掛け用鎖りフックに足掛け用鎖りをサルカン等で水平になる様取付け上下内寄り防止ストッパーは、左右ハシゴの高低差に対応して左右ハシゴの内側に設けてある内寄り防止ストッパー用フックの３つのフックを利用して水平になる様サルカン等で連結し円柱立木等用ストッパーは左右ハシゴの高低差に対応して左右ハシゴの上部上面に設けてある３つの円柱立木等用ストッパー用フックに水平になる様サルカン等で連結した状態から全てのサルカン等をはずせば分割出来る形状を有することを特微とする分割式２本ハシゴ
【請求項２】
すべり止め用突起部の付いた台座付支え用ストッパーは、左右同じ物であり左用ハシゴの最上部外側面にハシゴの奥行きと同じ寸法でコの字形をした受金のコの字形の開口部を左ハシゴの最上部外側面に向けて左支え用ストッパーのカギ部を通す口の向きが左ハシゴを左真横から見た場合、左斜下から右斜上向きに４５°位の角度になる様受金部を作製しその受金部の口の角度４５°に合う様左支え用ストッパーの最上部から１０ｃｍ位下の所へカギ状のブラケットを右斜上４５°位の角度に取付け、そのカギ部を左ハシゴの受金部の口に差し込んだ時左ハシゴの受金部の口の内寸の横巾とカギとの左右のスキ間が左支え用ストッパー本体を左右に可動出来る様２ｃｍから３ｃｍ位の可動用スキ間を作り受金部の口の内寸の前後の巾とカギとの前後のスキ間も左支え用ストッパー本体が前後に可動出来る様２ｃｍから３ｃｍ位の可動用スキ間とし、右支え用ストッパーも右ハシゴの最上部外側面にハシゴの奥行きと同じ寸法でコの字形をした受金をコの字形の開口部を右ハシゴの最上部外側面に向けて右支え用ストッパーのカギ部を通す口の向きが右ハシゴを右真横から見た場合右斜下から左斜上向きに４５°位の角度になる様受金部を作製しその受金部の口の角度に合う様右支え用ストッパー最上部から１０ｃｍ位の下の所へカギ状のブラケットを左斜上４５°位の角度で取付け、そのカギ部を右ハシゴの受金部の口に差し込んだ時右ハシゴの受金部の口の内寸の横巾とカギとの左右のスキ間が右支え用ストッパー本体を左右に可動出来る様２ｃｍから３ｃｍ位いの可動用スキ間を作り受金部の口の内寸の前後の巾とカギとのスキ間も右支え用ストッパー本体が前後に可動出来る様２ｃｍから３ｃｍ位の可動用スキ間とした分割出来る形状を有することを特微とする請求項１記載の分割式２本ハシゴ
【請求項３】
左右ハシゴの長さは、１ｍから１５ｍ位いとすることと特微とする請求項１記載の分割式２本ハシゴ
【請求項４】
左右ハシゴの支え用ストッパーの長さは１ｍから１５ｍ位いとすることを特微とする請求項１記載の分割式２本ハシゴ
【手続補正書】
【提出日】平成24年11月15日(2012.11.15)
【手続補正１】
【補正対象書類名】実用新案登録請求の範囲
【補正対象項目名】全文
【補正方法】変更
【補正の内容】
【実用新案登録請求の範囲】
【請求項１】
接地部に突起部が設けられた台座と、本体内側において、台座から上方へ１０ｃｍ程度の高さの位置と、本体頂部から下方へ１０ｃｍ程度の高さの位置とに設けられた複数の内寄り防止用ストッパーのフックと、本体内側の中央部に設けられた複数の足掛け用鎖のフックと、本体頂部に設けられた上部円柱、立木等用ストッパーのフックをそれぞれ備えた左ハシゴ及び右ハシゴからなり、前記内寄り防止用ストッパーのフック、前記足掛け用鎖のフック及び前記上部円柱、立木等用ストッパーのフックには、それぞれ、内寄り防止用ストッパー、足掛け用鎖及び上部円柱、立木等用ストッパーが取り付け可能とされたことを特徴とする分割式２本ハシゴ．
【請求項２】
請求項１記載の左右ハシゴの最上部外側に、左右の支え用ストッパーの受金を取付けた請求項１記載の分割式２本ハシゴ